(57)【要約】【課題】簡単な包装作業で、物品を確実に緩衝固定できるようにする。【解決手段】稜部を挟んで隣り合う側板１，２のうち、一方の側板２から基折線６を介して内フラップ７を、他方の側板１から基折線８を介して外フラップ９をそれぞれ延出し、基折線６，８に沿って内フラップ７及び外フラップ９を順次折り重ねる包装箱において、前記内フラップ７の基折線６が外フラップ９の基折線８よりも迫り出すように、これらの基折線６，８を段違いとし、外フラップ９の先端に中折線１５を介して固定片１６を連設し、中折線１５に沿って固定片１６を折り曲げ、内フラップ７に続き外フラップ９を折り曲げると、内フラップ７が外フラップ９に押されて斜めに入り込み、内フラップ７の側縁が固定片１６に当接して、固定片１６の揺動が規制され、固定片１６に沿って物品が固定されるようにする。【選択図】図５
2014101122.tif 000002
【特許請求の範囲】
【請求項１】
稜部を挟んで隣り合う側板(1,2)のうち、一方の側板(2)から基折線(6)を介して内フラップ(7)を、他方の側板(1)から基折線(8)を介して外フラップ(9)をそれぞれ延出し、基折線(6)に沿って内フラップ(7)及び外フラップ(9)を順次折り重ねる包装箱において、前記内フラップ(7)の基折線(6)が外フラップ(9)の基折線(8)よりも迫り出すように、これらの基折線(6,8)を段違いとし、外フラップ(9)の先端に中折線(15)を介して固定片(16)を連設し、中折線(15)に沿って固定片(16)を折り曲げ、内フラップ(7)に続き外フラップ(9)を折り曲げると、内フラップ(7)が外フラップ(9)に押されて斜めに入り込み、内フラップ(7)の側縁が固定片(16)に当接して、固定片(16)の揺動が規制され、固定片(16)に沿って物品が固定されるようにしたことを特徴とする固定パッド付き包装箱。
【発明の詳細な説明】
【技術分野】
【０００１】
この発明は、消火器等の包装に使用する固定パッド付き包装箱に関するものである。
【背景技術】
【０００２】
一般に、消火器は、上部に噴射操作用のレバーを有しており、包装箱に収納する際、レバー部分の固定が課題となる。このような用途に対応した段ボール製の包装箱として、下記特許文献１には、図７に示すようなものが記載されている。
【０００３】
この包装箱は、稜部を挟んで隣り合う各一対の側板５１，５２のうち、一方の対向する側板５１から基折線５３を介して三角形状の内フラップ５４を延出し、他方の対向する側板５２から基折線５５を介して外フラップ５６を延出したものとされている。
【０００４】
内フラップ５４の基折線５３と外フラップ５６の基折線５５とは、組立時に段ボールの厚さを吸収するため、外フラップ５６の基折線５５が内フラップ５４の基折線５３よりも上方へ迫り出すように、段違いとされている。
【０００５】
内フラップ５４の先端には、斜め方向の中折線５７を介して固定片５８が連設され、内フラップ５４には、スロット状の差込穴５９が形成されている。外フラップ５６は、長い部分と短い部分とを有し、これらの先端に差込片６０が設けられている。
【０００６】
このような包装箱に消火器を収納して封緘する際には、側板５１から基折線５３に沿って内フラップ５４を折り曲げると共に、中折線５７に沿って固定片５８を折り曲げ、対向する固定片５８の間に消火器のレバーＬを挟み込んで、消火器の上部を安定させる。
【０００７】
その後、側板５２から基折線５５に沿って外フラップ５６を折り曲げ、差込片６０を差込穴５９に差し込んで、内フラップ５４及び外フラップ５６を閉止状態に維持する。
【先行技術文献】
【特許文献】
【０００８】
【特許文献１】実開昭５２−４２１２２号公報
【発明の概要】
【発明が解決しようとする課題】
【０００９】
しかしながら、上記のような包装箱では、消火器を包装して輸送する際、荷役作業やトラックの振動に伴い、固定片５８が揺動して、消火器ががたつくおそれがある。
【００１０】
また、封緘に際し、対向する外フラップ５６に２個ずつ設けられた差込片６０を差込穴５９に差し込まなければならず、作業に手間がかかるという問題がある。
【００１１】
そこで、この発明は、簡単な包装作業で、物品を確実に緩衝固定できるようにすることを課題とする。
【課題を解決するための手段】
【００１２】
上記課題を解決するため、この発明は、稜部を挟んで隣り合う側板のうち、一方の側板から基折線を介して内フラップを、他方の側板から基折線を介して外フラップをそれぞれ延出し、基折線に沿って内フラップ及び外フラップを順次折り重ねる包装箱において、前記内フラップの基折線が外フラップの基折線よりも迫り出すように、これらの基折線を段違いとし、外フラップの先端に中折線を介して固定片を連設し、中折線に沿って固定片を折り曲げ、内フラップに続き外フラップを折り曲げると、内フラップが外フラップに押されて斜めに入り込み、内フラップの側縁が固定片に当接して、固定片の揺動が規制され、固定片に沿って物品が固定されるようにしたのである。
【発明の効果】
【００１３】
この発明に係る包装箱では、内フラップの基折線と外フラップの基折線とが通常とは逆の段違いとなっているため、消火器等の物品の包装に際し、外フラップに繋がる固定片を折り曲げ、内フラップ及び外フラップを順次折り重ねるだけで、斜めに入り込んだ内フラップにより、固定片の揺動が抑制される。
【００１４】
これにより、固定片に沿った物品を固定することができ、輸送時の振動や衝撃から物品を保護することができる。
【図面の簡単な説明】
【００１５】
【図１】この発明の実施形態に係る固定パッド付き包装箱のブランクを示す図
【図２】同上の包装箱の消火器を挿入した状態を示す斜視図
【図３】同上の内フラップを折り曲げた状態を示す斜視図
【図４】同上の内フラップに続き外フラップを折り曲げた状態を示す斜視図
【図５】同上の封緘状態を示す斜視図
【図６】同上の消火器のレバーの固定状態を示す外蓋フラップ省略平面図
【図７】従来の消火器の包装箱を示す斜視図
【発明を実施するための形態】
【００１６】
以下、この発明の実施形態を添付図面に基づいて説明する。
【００１７】
この固定パッド付き包装箱は、図１に示すような段ボールシートのブランクから形成される。このブランクでは、縦長の側板１，２が各一対交互に連設され、一方の端部に位置する側板１の外側には継代片３が連設されている。側板１，２の下端には、底板４，５がそれぞれ連設されている。
【００１８】
継代片３と反対側に位置する側板２の上端には、基折線６を介して内フラップ７が連設され、この側板２に隣り合う側板１の上端には、基折線８を介して外フラップ９が連設されている。
【００１９】
他方の側板２の上端には、基折線１０を介して内蓋フラップ１１が連設され、他方の側板１の上端には、基折線１２を介して外蓋フラップ１３が連設されている。
【００２０】
内フラップ７の基折線６と外フラップ９の基折線８とは、内フラップ７の基折線６が外フラップ９の基折線８よりも上方へ迫り出すように、段違いとされている。
【００２１】
内フラップ７は、外フラップ９の反対側が先細りとなるように切り欠かれ、内フラップ７の先端部には、幅方向に中折線１４が入れられている。
【００２２】
外フラップ９には、その先端の中折線１５を介して固定片１６が連設され、中折線１５は、内フラップ７側の迫り出しが大きくなるように傾斜している。外フラップ９の基部には、基折線８に沿ってスリット状の差込穴１７が設けられている。
【００２３】
内蓋フラップ１１は、外フラップ９側が先細りとなるように切り欠かれ、外蓋フラップ１３の先端中間部には、差込片１８が連設されている。
【００２４】
このようなブランクを組み立てて消火器を包装するには、図２に示すように、各一対の側板１，２を四角筒状に折り曲げ、継代片３を反対側の側板２に貼り付け、底板４，５を折り曲げて底面を閉止し、消火器Ｆを天面の開口から箱内に挿入する。
【００２５】
次に、図３に示すように、基折線６に沿って内フラップ７を内側水平方向へ折り曲げると共に、中折線１４に沿って内フラップ７の先端部を折り曲げる。
【００２６】
続いて、図４に示すように、中折線１５に沿って固定片１６を折り曲げた状態で、基折線８に沿って外フラップ９を内側水平方向へ折り曲げると、内フラップ７が外フラップ９に押されて斜め下方に入り込み、内フラップ７の側縁が固定片１６に当接して、固定片１６の揺動が規制された状態で、消火器ＦのレバーＬの側面が固定片１６に沿う。
【００２７】
そして、図５に示すように、基折線１０に沿って内蓋フラップ１１を内側水平方向へ折り曲げ、基折線１２に沿って外蓋フラップ１３を内側水平方向へ折り曲げると共に、差込穴１７に差込片１８を差し込んで封緘すると、図６に示すように、消火器ＦのレバーＬが固定片１６で固定された状態で包装される。
【００２８】
上記のような包装箱では、内フラップ７の基折線６と外フラップ９の基折線８とが通常とは逆の段違いとなっているため、消火器Ｆの包装に際し、外フラップ９に繋がる固定片１６を折り曲げ、内フラップ７及び外フラップ９を順次折り重ねるだけで、斜めに入り込んだ内フラップ７により、固定片１６の揺動が抑制される。
【００２９】
そして、内フラップ７、外フラップ９及び固定片１６により、固定片１６に沿った消火器ＦのレバーＬを固定する固定パッドが形成され、輸送時の振動や衝撃から消火器Ｆの上部機構を保護することができる。
【００３０】
なお、上記実施形態では、一方の側板１，２からのみ内フラップ７及び外フラップ９を延出したものを例示したが、内蓋フラップ１１及び外蓋フラップ１３に代えて、他方の側板１，２からも内フラップ７及び外フラップ９を延出し、各外フラップ９に連設した一対の固定片１６で物品を挟み込むようにしてもよい。
【００３１】
また、収納する物品が消火器であることから、その上部を固定する形式の包装箱を例示したが、物品の種類によっては、物品の下部を上記と同様の構成で固定するものとしてもよく、横倒し状態で物品を包装する場合には、物品の側部を上記と同様の構成で固定するものとしてもよい。
【符号の説明】
【００３２】
１，２  側板
３  継代片
４，５  底板
６  基折線
７  内フラップ
８  基折線
９  外フラップ
１０  基折線
１１  内蓋フラップ
１２  基折線
１３  外蓋フラップ
１４，１５  中折線
１６  固定片
１７  差込穴
１８  差込片
Ｆ  消火器
Ｌ  レバー
【図１】
2014101122.tif 000003
【図２】
2014101122.tif 000004
【図３】
2014101122.tif 000005
【図４】
2014101122.tif 000006
【図５】
2014101122.tif 000007
【図６】
2014101122.tif 000008
【図７】
2014101122.tif 000009